(57)【要約】【課題】再生したいコンテンツが記録されている記録媒体を、複数の記録媒体の中から短時間で探し出すことができる、信号記録再生装置及び信号記録再生方法を提供する。【解決手段】本発明の信号記録再生装置は、コンテンツを着脱可能な記録媒体に書き込み、読み出す記録再生部と、前記記録媒体を識別するための記録媒体識別番号及び記録媒体識別画像と、前記コンテンツに関するコンテンツ情報と、を有するコンテンツデータテーブルをメモリに書き込むコンテンツデータテーブル作成部と、前記コンテンツデータテーブルを記憶するメモリと、前記コンテンツテーブルの少なくとも一部と、前記コンテンツテーブルから選択された前記コンテンツと、を表示する表示部と、を有することを特徴とする。【選択図】        図１
2004356902.tif 000002
【特許請求の範囲】
【請求項１】
コンテンツを着脱可能な記録媒体に書き込み、読み出す記録再生部と、
前記記録媒体を識別するための記録媒体識別番号及び記録媒体識別画像と、前記コンテンツに関するコンテンツ情報と、を有するコンテンツデータテーブルをメモリに書き込むコンテンツデータテーブル作成部と、
前記コンテンツデータテーブルを記憶するメモリと、
前記コンテンツテーブルの少なくとも一部と、前記コンテンツテーブルから選択された前記コンテンツと、を表示する表示部と、
を有することを特徴とする信号記録再生装置。
【請求項２】
前記記録再生部は、前記記録媒体識別番号を前記記録媒体から読み出すことを特徴とする請求項１に記載の信号記録再生装置。
【請求項３】
前記記録媒体識別番号は、前記記録媒体の製造番号であることを特徴とする請求項１又は請求項２に記載の信号記録再生装置。
【請求項４】
コンテンツを着脱可能な記録媒体に書き込む記録ステップと、
前記記録媒体を識別するための記録媒体識別番号及び記録媒体識別画像と、前記コンテンツに関するコンテンツ情報と、を有するコンテンツデータテーブルをメモリに書き込むコンテンツデータテーブル作成ステップと、
前記コンテンツデータテーブルの少なくとも一部を前記メモリから読み出して表示するコンテンツデータテーブル表示ステップと、
前記コンテンツテーブルから選択された前記コンテンツを前記記録媒体から読み出して表示するコンテンツ表示ステップと、
を有することを特徴とする信号記録再生方法。
【請求項５】
前記コンテンツデータテーブル作成ステップにおいて、前記記録媒体識別番号を前記記録媒体から読み出して前記コンテンツデータテーブルを作成することを特徴とする請求項４に記載の信号記録再生方法。
【請求項６】
前記記録媒体識別番号は、前記記録媒体の製造番号であることを特徴とする、請求項４又は請求項５に記載の信号記録再生方法。
【発明の詳細な説明】
【０００１】
【発明の属する技術分野】
本発明は、信号記録再生装置及び信号記録再生方法に関する。
【０００２】
【従来の技術】
近年、インターネットの普及に伴い画像、音声、テキストなどの電子化されたデータ（以下、「コンテンツ」と言う。）を容易に利用可能になってきた。利用者は、大量のコンテンツをインターネット上のコンテンツ配信サイトからダウンロードし、大容量の記録媒体に記録し再生を行っている。しかし、複数の記録媒体に数多くのコンテンツを記録すると、試聴したいコンテンツが記録された記録媒体を探し出すのに膨大な時間と労力が必要だった。
【０００３】
特開２００２−２８８１７１号公報に、従来例１の記録メディア用ラベルシステムが記載されている。従来例１の記録メディア用ラベルシステムは、利用者にコンテンツを提供するコンテンツ配信サイトと、コンテンツの概要と所在を含むラベル情報を記憶しているラベル情報提供サイトと、利用者の携帯端末装置と記録媒体とを有する。ラベル情報は、例えば次のように利用できる。利用者がコンテンツをダウンロードし記録媒体に記録した後で、ラベル情報に記録媒体固有の記録媒体識別番号をコンテンツの所在地として付け加える。利用者は、ラベル情報をラベル情報提供サイトからダウンロードすれば、必要なコンテンツがどの記録媒体に記録されているか検索できる。
【０００４】
特開２００２−２３７１６９号公報に、従来例２の情報記録管理方法および情報記録管理装置が記載されている。従来例２の情報記録管理装置は、記録メディア（媒体）に記録したコンテンツ情報の記録に関する情報をデータベース用メモリに書き込む。データベース用メモリは、少なくとも記録メディアの識別子とコンテンツ情報識別子とを含む。使用者は、データベース用メモリを参照することにより、再生したいコンテンツ情報がどの記録メディアに記録されているのか、検索できる。
【０００５】
【特許文献１】
特開２００２−２８８１７１号公報
【特許文献２】
特開２００２−２３７１６９号公報
【０００６】
【発明が解決しようとする課題】
従来は記録媒体を識別するための情報として、記録媒体に固有の製造番号などの数値（数字とアルファベットの羅列）を使用した。使用者は指定された記録媒体を探す時に、記録媒体に記載されている無味乾燥な文字を一つ一つ確認する必要があった。このため、使用者が記録媒体を探し出すためにかなりの時間を要した。本発明は、上記従来の問題を解決するもので、再生したいコンテンツが記録されている記録媒体を短時間で特定し、その記録媒体を多くの記録媒体の中から簡単に探し出すことができる、信号記録再生装置及び信号記録再生方法を提供することを目的とする。
【０００７】
【課題を解決するための手段】
上記課題を解決するため、本発明は以下の構成を有する。請求項１に記載の発明は、コンテンツを着脱可能な記録媒体に書き込み、読み出す記録再生部と、前記記録媒体を識別するための記録媒体識別番号及び記録媒体識別画像と、前記コンテンツに関するコンテンツ情報と、を有するコンテンツデータテーブルをメモリに書き込むコンテンツデータテーブル作成部と、前記コンテンツデータテーブルを記憶するメモリと、前記コンテンツテーブルの少なくとも一部と、前記コンテンツテーブルから選択された前記コンテンツと、を表示する表示部と、を有することを特徴とする信号記録再生装置である。
【０００８】
請求項２に記載の発明は、前記記録再生部は、前記記録媒体識別番号を前記記録媒体から読み出すことを特徴とする請求項１に記載の信号記録再生装置である。
【０００９】
請求項３に記載の発明は、前記記録媒体識別番号は、前記記録媒体の製造番号であることを特徴とする請求項１又は請求項２に記載の信号記録再生装置である。
【００１０】
請求項４に記載の発明は、コンテンツを着脱可能な記録媒体に書き込む記録ステップと、前記記録媒体を識別するための記録媒体識別番号及び記録媒体識別画像と、前記コンテンツに関するコンテンツ情報と、を有するコンテンツデータテーブルをメモリに書き込むコンテンツデータテーブル作成ステップと、前記コンテンツデータテーブルの少なくとも一部を前記メモリから読み出して表示するコンテンツデータテーブル表示ステップと、前記コンテンツテーブルから選択された前記コンテンツを前記記録媒体から読み出して表示するコンテンツ表示ステップと、を有することを特徴とする信号記録再生方法である。
【００１１】
請求項５に記載の発明は、前記コンテンツデータテーブル作成ステップにおいて、前記記録媒体識別番号を前記記録媒体から読み出して前記コンテンツデータテーブルを作成することを特徴とする請求項４に記載の信号記録再生方法である。
【００１２】
請求項６に記載の発明は、前記記録媒体識別番号は、前記記録媒体の製造番号であることを特徴とする、請求項４又は請求項５に記載の信号記録再生方法である。
【００１３】
本発明は、再生したいコンテンツが記録されている記録媒体を短時間で特定し、その記録媒体を多くの記録媒体の中から簡単に探し出すことができる信号記録再生装置及び信号記録再生方法を実現できるという作用を有する。
【００１４】
【発明の実施の形態】
以下本発明の実施をするための最良の形態を具体的に示した実施例について、図面とともに記載する。
【００１５】
《実施例》
図１〜図８を用いて本発明の実施例の信号記録再生装置及び信号記録再生方法を説明する。
図１は、本発明の実施例の信号記録再生装置の構成を示す図である。１０１は信号記録再生装置、１０２は着脱可能な記録媒体である。１９０は外部機器である。信号記録再生装置１０１は表示部１０３、ＣＰＵ１０４、メモリ１０５及び記録再生部１０６を有する。
【００１６】
信号記録再生装置１０１は記録媒体１０２を挿入するスロットを有している。本実施例では、信号記録再生装置１０１はＰＤＡ（Ｐｅｒｓｏｎａｌ  Ｄｉｇｉｔａｌ  Ａｓｓｉｓｔａｎｔｓ）、記録媒体１０２はメモリーカード（実施例においてはＳＤカード（登録商標）である。）である。
【００１７】
記録再生部１０６は、外部機器１９０からコンテンツが入力されると、記録媒体１０２に転送する。記録再生部１０６が記録媒体１０２に書き込むコンテンツは、音楽、画像、映画、テキスト等の電子化されたデータである。例えば、外部機器１９０がビデオカメラ又はビデオチューナの場合、ＭＰＥＧ４フォーマットの動画のコンテンツが記録再生部１０６に入力される。外部機器１９０がデジタルスチルカメラの場合、ＪＰＥＧフォーマットの静止画像のコンテンツが記録再生部１０６に入力される。
【００１８】
〔コンテンツデータテーブルの説明〕
メモリ１０５は、コンテンツデータテーブルを記憶している。図２は、本発明の実施例のコンテンツデータテーブルの一例を示す図である。コンテンツデータテーブルは、信号記録再生装置１０１が記録媒体１０２に書き込んだコンテンツの情報を書き込んだデータテーブルである。２０１、２０２、２０３は記録媒体識別番号、２１１、２１２、２１３は信号記録再生装置１０１内部で使用する記録媒体の整理番号、２２１、２２２、２２３は、記録媒体識別画像である。２５１〜２５９はコンテンツ情報である。
【００１９】
記録媒体識別番号は、記録媒体１０２に固有の識別情報である。ＳＤカードの場合、内部にデータとして固有のＩＤ番号が記録されており、表面にも使用者が識別できるように表示されているので、実施例ではＩＤ番号を記録媒体識別番号として使用する。記録媒体識別番号は、使用者が指定した値でも良い。
【００２０】
記録媒体識別画像は、使用者が記録媒体１０２を視覚的に識別するための、記録媒体１０２の外観を表す画像である。記録媒体１０２の表面に添付したシールの写真、製造番号の拡大写真、使用者が記録媒体１０２の表面に記した記号の写真等の記録媒体１０２の全体又は一部を撮影した写真を、記録媒体識別画像として使用できる。あるいは、メモリ１０５に予め記憶しておいた画像を使用しても良い。このような写真及び画像をアイコン化したデータのファイル名を、ＣＰＵ１０４内部での処理に使用する。
【００２１】
コンテンツ情報は、コンテンツに関する情報である。具体的には、コンテンツのタイトル、作成日、種別（画像、音楽、テキスト等の別）、記録場所、サイズ（時間、ファイルサイズ等）、形式等である。コンテンツ情報は、ＣＰＵ１０４が自動的に作成しても良いし、使用者が手動で入力しても良い。
【００２２】
コンテンツデータテーブルは、コンテンツとコンテンツが記録されている記録媒体とを記録媒体識別番号及び記録媒体識別画像を用いて対応付けるための対応表である。従って、コンテンツデータテーブルは、少なくとも記録媒体識別番号、記録媒体識別画像、コンテンツ情報を含む。
【００２３】
〔記録媒体へのコンテンツの書き込み〕
図３は、本発明の実施例のコンテンツを記録媒体に書き込む時のフローチャートである。ステップ３０１で、外部機器１９０から記録再生部１０６にコンテンツを入力する。使用者が信号記録再生装置１０１に記録媒体１０２を装填する（ステップ３０２）と、ＣＰＵ１０４は記録媒体１０２から記録媒体識別番号を読み出す（ステップ３０３）。ステップ３０４で記録媒体識別画像を読み込むか否か判断を促す画面を、表示部１０３に表示する。使用者が、記録媒体識別画像を読み込まないと指定した場合、ステップ３１０でＣＰＵ１０４はメモリ１０５から既定の記録媒体識別画像を読み込み、ステップ３０６に進む。使用者が、記録媒体識別画像を読み込むと指定した場合、ステップ３０５で記録媒体識別画像を読み込み、ステップ３０６に進む。ステップ３０６で記録再生部１０６のコンテンツを記録媒体１０２に書き込む。
【００２４】
ステップ３０７で、コンテンツ情報を作成する。ＣＰＵ１０４が既定値を表示部１０３に出力し、使用者が適宜修正する。ステップ３０８でＣＰＵ１０４は、コンテンツデータテーブルの中に、ステップ３０６で書き込みを行った記録媒体１０２が含まれているか否か、つまり記録媒体１０２が既使用か否か判断する。既使用の場合、コンテンツ情報を、コンテンツデータテーブルの該当する領域に書き込む（ステップ３０９）。既使用ではない場合、記録媒体識別番号と、記録媒体識別画像と、コンテンツ情報とをコンテンツデータテーブルに書き込み（ステップ３１１）、処理を終了する。
【００２５】
〔記録媒体からのコンテンツの読み込み〕
図４は、本発明の実施例のコンテンツを記録媒体から読み出す時のフローチャートである。使用者が、コンテンツの再生を希望する操作を信号記録再生装置１０１に対して行うと、ＣＰＵ１０４はメモリ１０５からコンテンツデータテーブルを読み込み、表示部１０３に表示する。図５は、本発明の実施例の信号記録再生装置１０１の表示部１０３での表示の一例を示す図である。コンテンツのタイトルの一覧表が表示される。
【００２６】
ステップ４０２で、使用者は以下の方法でコンテンツを選択する。図５で、一つのコンテンツ（実施例では、コンテンツ１）について「詳細」を選択すると、そのコンテンツのコンテンツ情報（コンテンツのタイトル、録画日時、種別、記録されているメディアの記録媒体識別番号、録画場所、記録されているメディアの記録媒体識別画像）が図６のように表示部１０３に表示される。
図５で、「ソート」を選択すると図５でコンテンツのタイトルを表示する順番を変更できる。例えば、コンテンツタイトルのＡＢＣ順／アイウエオ順、又は、種別の順等である。図５で「前頁」「次頁」はコンテンツの一覧が表示部１０３に表示しきれない場合にその続き、又はその前に掲載されている内容を表示するためのものである。図５及び図６の画面表示から使用者は再生するコンテンツを選択する。
【００２７】
再生するコンテンツが決定し、図５で、使用者が一つのコンテンツについて「再生」を選択すると、ステップ４０３に進む。ＣＰＵ１０４は、選択されたコンテンツを含む記録媒体１０２の記録媒体識別番号と記録媒体識別画像とを表示部１０３に表示する。図７は、このときの表示の一例を示す図である。表示部１０３にはその記憶媒体の記録媒体識別番号だけではなく、写真（記録媒体識別画像）が表示される。従って、使用者は記憶媒体を記録媒体の外見から容易に選び出すことができる。記録媒体識別番号だけから、複数の記録媒体の中から一つの記録媒体を探し出す場合に比べて、使用者の手間が大いに省ける。
【００２８】
使用者が、記録媒体を選び出し、信号記録再生装置１０１に装填する（ステップ４０４）と、ＣＰＵ１０４は装填された記録媒体の記録媒体識別番号と指定した記録媒体の記録媒体識別番号とを比較し、正しい記録媒体か否か判断する（ステップ４０５）。装填された記録媒体が正しくない場合、正しい記録媒体の装填を使用者に要求する（ステップ４０７）。具体的には、表示部１０３に「記録媒体が違います。表示されているカードを入れて下さい。」というメッセージと記録媒体識別番号と記録媒体識別画像を表示部１０３に表示する。ステップ４０４に戻る。装填された記録媒体が正しい場合、コンテンツを記録媒体１０２から読み出し、再生する（ステップ４０６）。処理を終了する。
【００２９】
コンテンツを記録媒体から読み出す時のフローチャート及び表示部１０３での表示は、図４〜図７に限定されるものではない。図８は、図４のステップ４０１での表示部１０３の表示の一例を示す図である。図５では、コンテンツのタイトルのみを表示したが、図８では記録媒体の整理番号及、記録媒体識別番号及び記録媒体識別画像も併せて表示している。この場合、図４のステップ４０３を省略しても良い。
【００３０】
実施例では、コンテンツデータテーブルは信号記録再生装置１０１内のメモリ１０５に記憶されているので、記録媒体１０２にコンテンツを記録した信号記録再生装置１０１でのみ、そのコンテンツのコンテンツ情報を閲覧できる。信号記録再生装置１０１に一度に２つの記録媒体を装填することができる場合には、一方の記録媒体にコンテンツデータテーブルを記憶させ、メモリ１０５として利用しても良い。コンテンツデータテーブルを記録媒体１０２にも記憶させておけば、任意の信号記録再生装置１０１でコンテンツ情報が閲覧できる。
【００３１】
【発明の効果】
本発明によれば、再生したいコンテンツが記録されている記録媒体を短時間で特定し、その記録媒体を多くの記録媒体の中から簡単に探し出すことができる信号記録再生装置及び信号記録再生方法、を実現できるいう有利な効果が得られる。
【図面の簡単な説明】
【図１】本発明の実施例の信号記録再生装置の構成を示す図
【図２】本発明の実施例のコンテンツデータテーブルの一例を示す図
【図３】本発明の実施例のコンテンツを記録媒体に書き込む時のフローチャート
【図４】本発明の実施例のコンテンツを記録媒体から読み出す時のフローチャート
【図５】本発明の実施例の信号記録再生装置の表示部での表示の一例を示す図
【図６】本発明の実施例の信号記録再生装置の表示部での表示の一例を示す図
【図７】本発明の実施例の信号記録再生装置の表示部での表示の一例を示す図
【図８】本発明の実施例の信号記録再生装置の表示部での表示の一例を示す図
【符号の説明】
１０１  信号記録再生装置
１０２  記録媒体
１０３  表示部
１０４  ＣＰＵ
１０５  メモリ
１０６  記録再生部
１９０  外部機器
【図１】
2004356902.tif 000003
【図２】
2004356902.tif 000004
【図３】
2004356902.tif 000005
【図４】
2004356902.tif 000006
【図５】
2004356902.tif 000007
【図６】
2004356902.tif 000008
【図７】
2004356902.tif 000009
【図８】
2004356902.tif 000010